(57)【要約】【課題】蓋体を閉じるときにおける蓋体と収納本体との間に指を挟んで怪我をするといった問題、衝突音による騒音の問題、また蓋体あるいは収納本体における破損の問題等を無くすようにしたボール収納用カゴを提供する。【解決手段】前面部２と後面部３と左側面部４と右側面部５と底面部６とから上部が空いた収納本体１を構成し、この収納本体１の上部に、当該収納本体１の上部後端に軸着して開閉自在とする蓋体２０を備えたボール収納用カゴにおいて、前記蓋体２０に、当該蓋体２０の下方に突出する緩衝材３０を取り付けて、蓋体２０を閉じたとき、緩衝材３０が収納本体１の上端に当接して蓋体２０と収納本体１との間に隙間を形成するようにする。【選択図】図３
0003119148.tif 000002
【実用新案登録請求の範囲】
【請求項１】
前面部２と後面部３と左側面部４と右側面部５と底面部６とから上部が空いた収納本体１を構成し、この収納本体１の上部に、当該収納本体１の上部後端に軸着して開閉自在とする蓋体２０を備えたボール収納用カゴにおいて、
前記蓋体２０に、当該蓋体２０の下方に突出する緩衝材３０を取り付けて、蓋体２０を閉じたとき、緩衝材３０が収納本体１の上端に当接して蓋体２０と収納本体１との間に隙間を形成するようにしたこと特徴とするボール収納用カゴ。
【請求項２】
前記蓋体２０にあっては、収納本体１の上部後端における軸着点より下方に向かう垂下部２４と、この垂下部２４の下端より折れ曲がって前方に向かう水平部２５と、から略Ｌ字形に形成したことを特徴とする請求項１記載のボール収納用カゴ。
【請求項３】
前記緩衝材３０にあっては、当該蓋体２０の上下双方に突出するようにして、蓋体２０を開放したとき、緩衝材３０が収納本体１の後面部３に当接するようにしたこと特徴とする請求項１又は請求項２記載のボール収納用カゴ。
【考案の詳細な説明】
【技術分野】
【０００１】
本考案は、小学校、中学校、高等学校の体育等において使用されるバレーボール、バスケットボール、サッカーボール、ドッジボール等の球技用ボール等を多数収納しておくことのできるボール収納用カゴに関する。
【背景技術】
【０００２】
従来、球技用ボール等を収納するボール収納用カゴとしては、実開平５−７４５６０号公報に示されているように、金属製のフレーム及び上下に向かう複数の金属製のバーからなる前面部と、金属製のフレーム及び上下に向かう複数の金属製のバーからなる後面部と、同じく金属製のフレーム及び上下に向かう複数の金属製のバーからなる左右の側面部と、さらに金属製のフレーム及び前後に向かう複数の金属製のバーからなる底面部と、から上部が空いた収納本体を構成し、底面部の下面の四隅にはキャスターを備えている。また、この収納本体の上部には、収納本体の上部後端を中心に回動する開閉自在とする蓋体を備えて、この蓋体も金属製のフレーム及び前後に向かう複数の金属製のバーからなっている。
【０００３】
このようなボール収納用カゴにおいて、球技用ボール等を出し入れする際は、収納本体の後面部の後方に蓋体を垂れ下げて、収納本体の上部を空けた開放状態にし、ここより球技用ボール等を出したりあるいは入れたりできるようにしていると共に、球技用ボール等を収納した際は、収納本体の上部を蓋体で塞ぐようにして収納本体の上部を閉じ状態にし、収納した球技用ボール等が飛び出すのを防ぐようにしている。また、この蓋体により、違うボールが混入するといったことを防ぐと共に、第三者が勝手にボールを持ち出したり、さらには盗難といった問題を防ぐことができる。
【０００４】
【特許文献１】実開平５−７４５６０号公報
【考案の開示】
【考案が解決しようとする課題】
【０００５】
かかる従来のボール収納用カゴにあっては、使用時において蓋体を閉じるとき、蓋体が収納本体の上端に当接するが、この蓋体は金属製のフレームやバーからなっているので、蓋体自体の重量は重く、蓋体が勢い良く収納本体の上端に当接してしまう。このため、蓋体と収納本体との間に指を挟んで怪我をするといった問題が生じるおそれがあり、特に、小学生等の子供達にとっては重い蓋体を閉じる作業において指を挟まないように慎重に作業しなければならず、作業が容易ではなかった。しかも、これらの蓋体と収納本体とが勢い良く衝突してしまうと、非常に大きな衝突音が発生するといった騒音の問題が生じ、また、蓋体あるいは収納本体において塗装がはがれたり変形したりといった破損の問題も生じていた。
【０００６】
本考案は、前記の各問題を鑑み、蓋体を閉じるときにおける蓋体と収納本体との間に指を挟んで怪我をするといった問題、衝突音による騒音の問題、また蓋体あるいは収納本体における破損の問題等を無くすようにしたボール収納用カゴを提供することを、その課題とする。
【課題を解決するための手段】
【０００７】
第一の考案は、前面部と後面部と左側面部と右側面部と底面部とから上部が空いた収納本体を構成し、この収納本体の上部に、当該収納本体の上部後端に軸着して開閉自在とする蓋体を備えたボール収納用カゴにおいて、前記蓋体に、当該蓋体の下方に突出する緩衝材を取り付けて、蓋体を閉じたとき、緩衝材が収納本体の上端に当接して蓋体と収納本体との間に隙間を形成するようにしたボール収納用カゴである。
【０００８】
第二の考案は、第一の考案において、前記蓋体にあっては、収納本体の上部後端における軸着点より下方に向かう垂下部と、この垂下部の下端より折れ曲がって前方に向かう水平部と、から略Ｌ字形に形成したボール収納用カゴである。
【０００９】
第三の考案は、第一又は第二の考案において、前記緩衝材にあっては、当該蓋体の上下双方に突出するようにして、蓋体を開放したとき、緩衝材が収納本体の後面部に当接するようにしたボール収納用カゴである。
【考案の効果】
【００１０】
本考案によれば、蓋体に取り付けた緩衝材により、蓋体を閉じたとき、蓋体と収納本体との間に隙間を形成するようにしたことで、使用者が蓋体と収納本体とで指を挟んで怪我をするといったことをなくすことができ、また、特に小学生等の子供達にとっても安全にかつ極めて容易に使用することができる。しかも、この緩衝材によって、蓋体と収納本体とが衝突するのを防止して、大きな衝突音の発生をなくすと共に、蓋体あるいは収納本体において塗装がはがれたり変形したりといった破損もなくすことができる。
【００１１】
また、本考案によれば、蓋体を略Ｌ字形に形成したことで、蓋体を開放したとき、収納本体の後面部の後方上部において収納本体と蓋体との間に隙間を形成することができ、この蓋体を開放した状態のままでボール収納用カゴを移動させる際、ボール収納用カゴに添えた手の指が蓋体と収納本体の後面部との間に挟まれて怪我をするのをなくすことができ、安全にボール収納用カゴの移動を行うことができる。
【００１２】
また、本考案によれば、緩衝材を、当該蓋体の上下双方に突出するようにして、蓋体を開放したとき、緩衝材が収納本体の後面部に当接するようにしたことで、蓋体と収納本体の後面部との衝突を防ぐことができ、蓋体と収納本体の後面部とが衝突して発生する大きな衝突音をなくすことができると共に、蓋体あるいは収納本体の後面部における塗装はがれや変形といった破損もなくすことができる。
【考案を実施するための最良の形態】
【００１３】
本考案によるボール収納用カゴの一実施形態について、図１、図２、図３、図４を用いて説明する。ボール収納用カゴとしては、前面部２と後面部３と左側面部４と右側面部５と底面部６とから上部が空いた箱状の収納本体１を構成する。
【００１４】
前記前面部２と前記後面部３とにあっては、上下左右の４本の角棒材から左右に横長となる長方形枠状の金属製のフレーム１１を備え、このフレーム１１の内側に上下に向かう線材である金属製のバー１２を左右に等間隔に複数配置した構成である。
【００１５】
前記左側面部４と前記右側面部５とにあっては、上下左右の４本の角棒材から上下に縦長となる略長方形枠状の金属製のフレーム１３を備え、このフレーム１３の内側に上下に向かう線材である金属製のバー１４を左右に等間隔に複数配置した構成であり、前面部２や後面部３に対して、高さが若干高くなるようにすると共に、フレーム１３における前後それぞれの上端を湾曲させて、尖らないような形状にする。
【００１６】
前記底面部６にあっては、上下左右の４本の角棒材から左右に横長となる長方形枠状の金属製のフレーム１５を備え、このフレーム１５の内側に左右に向かう角棒材である金属製のバー１６を前後に等間隔に複数配置した構成であり、その四隅にキャスター１７をそれぞれ備えている。
【００１７】
これらの前面部２、後面部３、左側面部４、右側面部５、底面部６にあっては、ボルト及びナットによりそれぞれ固着する。ただし、この固着については、ボルト及びナットによる固着のみに限定されるものではなく、一部または全部を溶接等によって固着するようにしても良いし、あるいは、形の合ったもの同士を単に嵌め合わせて固着するようにしても良い。
【００１８】
なお、この収納本体１では、前後長より左右長が多少長く、かつ前面部２や後面部３より左側面部４や右側面部５が若干高くなるようにしているが、収納本体１にあっては、これに限定されるものではなく、球技用ボール等を収納することができ、かつ後述する蓋体２０を上部に取り付けることができるものなら他の形状のものでも良い。
【００１９】
そして、このように構成した収納本体１の上部に、当該収納本体１の上部後端に軸着して開閉自在とする蓋体２０を備える。この蓋体２０の収納本体１への軸着は、収納本体１の上部後端である左側面部４と右側面部５における上部後端それぞれに円筒状のブュシュ２１を固着し、このブュシュ２１を介して軸着することにより開閉自在にする。
【００２０】
この蓋体２０にあっては、左右のブュシュ２１に挿入して軸着する左右に向かう金属製の回転軸２２を備え、この回転軸２２に線材である金属製のフレーム２３を備え、このフレーム２３は、軸着点となる回転軸２２より下方に向かう垂下部２４とこの垂下部２４の下端より折れ曲がって前方に向かう水平部２５とから略Ｌ字形に形成した左右の側方部材２６と、この左右の側方部材２６の前方において接続する前方部材２７とから平面コ字形にし、また、このフレーム２３の内側に、左右に向かう線材である金属製のバー２８を前後に等間隔に複数配置し、かつ前後に向かう線材である金属製のバー２９を左右中央に一本配置した構成である。
【００２１】
そして、この蓋体２０にゴム製の緩衝材３０を取り付け、この緩衝材３０の取り付け位置としては、例えば蓋体２０のフレーム２３における前方部材２７の左右両側である。緩衝材３０にあっては、蓋体２０の下方を含む上下双方に突出するようにし、全体を円形にしている。なお、この緩衝材３０は、図５に示すように、形状が対称となる二つの半円部材３１からなり、蓋体２０におけるフレーム２３の前方部材２７に形成した穴３２にスプリングピン３３を挿入すると共に、このスプリングピン３３及びフレーム２３の前方部材２７を挟み込むようにしてボルト３４及びナット３５にて二つの半円部材３１を結合させる。これにより、フレーム２３の前方部材２７に挿入したスプリングピン３３によって緩衝材３０が回転したり左右方向に位置がずれたりするのをなくしている。なお、前述した構成のものに限定されるものではなく、例えば、スプリングピン３３については丸棒ピンでもその他のピンでも良く、また、ナット３５もゆるみ止め機能を有するナット等を使用しても良い。そして、蓋体２０に取り付けた緩衝材３０によって、蓋体２０を閉じたとき、蓋体２０のフレーム２３と収納本体１の前面部２のフレーム１１上端との間、要するに、蓋体２０と収納本体１との間に隙間Ｘを形成する。この隙間Ｘについては３０ｍｍ程度が好ましいが、これに限定されるものではない。なお、緩衝材３０についてもゴム製に限定されるものではなく、軟質の材料であれば他のものでも良い。また、緩衝材３０の形状も前述の円形に限定されるものではなく、四角形や多角形、円柱形や角柱形等でも良く、さらに、蓋体２０の上下双方に突出することなく、下方のみに突出するようにしても良い。
【００２２】
このようなボール収納用カゴにあっては、使用時において蓋体２０を閉じたとき、図３に示すように、蓋体２０に取り付けた緩衝材３０によって、蓋体２０と収納本体１の前面部２のフレーム１１上端とが当接することなく、蓋体２０と収納本体１の前面部２のフレーム１１上端との間に隙間Ｘが形成されるので、使用者が指を挟んで怪我をするのをなくすことができ、特に小学生等の子供達にとっても安全にかつ極めて容易に使用することができる。しかも、この緩衝材３０によって、蓋体２０と収納本体１とが衝突するのを防止して、大きな衝突音の発生をなくすと共に、蓋体２０あるいは収納本体１において塗装がはがれたり変形したりといった破損もなくすことができる。
【００２３】
また、使用時において蓋体２０を開放したとき、図６に示すように、蓋体２０は収納本体１の後面部３の後方に垂れ下がった状態になるが、このとき、蓋体２０のフレーム２３が垂下部２４と水平部２５とから略Ｌ字形に形成された形状になっていることから、収納本体１の後面部３の後方上部において、収納本体１と蓋体２０との間に隙間Ｙが形成される。これにより、例えば、蓋体２０を開放した状態のままでボール収納用カゴを移動させると、蓋体２０が振動で揺れ動くようになるが、収納本体１の後面部３の後方上部では常に、蓋体２０と収納本体１の後面部３との間に隙間Ｙが形成されていることで、ボール収納用カゴに添えた手の指が蓋体２０と収納本体１の後面部３との間に挟まれるのを防止することができ、使用者が指を挟んで怪我をするといったことがなく、安全にボール収納用カゴの移動を行うことができる。
【００２４】
次に、前述の実施形態の変形例について、図７を用いて説明すると、ボール収納用カゴは、前述の実施形態と全く同様の収納本体１と蓋体２０とを備え、蓋体２０に緩衝材３０を取り付けているが、この緩衝材３０の取り付け位置が前述の実施形態と少々異なる。これは、緩衝材３０の取り付け位置が蓋体２０のフレーム２３における前方部材２７の左右両側ではあるが、収納本体１の後面部３における上下に向かうバー１２と左右方向において同じとなる位置にする。これにより、蓋体２０を開放したとき、この緩衝材３０が収納本体１の後面部３におけるバー１２に当接するようにしている。
【００２５】
このようなボール収納用カゴにあっては、前述した実施形態で示したそれぞれの作用効果を有すると共に、さらに、次のような作用効果も有する。これは、使用時において蓋体２０を開放するとき、図８に示すように、蓋体２０が回動して収納本体１の後面部３に勢い良く衝突しようとするが、蓋体２０に取り付けた緩衝材３０によって、すなわち、収納本体１の後面部３におけるバー１２に緩衝材３０が当接することによって、蓋体２０と収納本体１の後面部３との衝突を防ぐことができ、これにより、蓋体２０と収納本体１の後面部３とが衝突して発生する大きな衝突音をなくすことができると共に、蓋体２０あるいは収納本体１の後面部３における塗装はがれや変形といった破損もなくすことができる。
【図面の簡単な説明】
【００２６】
【図１】本考案によるボール収納用カゴの正面図である。
【図２】本考案によるボール収納用カゴの平面図である。
【図３】本考案によるボール収納用カゴのＡ−Ａ断面図である。
【図４】本考案によるボール収納用カゴの分解斜視図である。
【図５】本考案によるボール収納用カゴにおける緩衝材の取り付け状態の説明図である。
【図６】本考案によるボール収納用カゴにおける蓋体を開放したときの状態を示すＡ−Ａ断面図である。
【図７】本考案によるボール収納用カゴの変形例の正面図である。
【図８】本考案によるボール収納用カゴの変形例における蓋体を開放したときの状態を示すＡ−Ａ断面図である。
【符号の説明】
【００２７】
１…収納本体、２…前面部、３…後面部、４…左側面部、５…右側面部、６…底面部、１１…フレーム、１２…バー、１３…フレーム、１４…バー、１５…フレーム、１６…バー、１７…キャスター、２０…蓋体、２１…ブュシュ、２２…回転軸、２３…フレーム、２４…垂下部、２５…水平部、２６…側方部材、２７…前方部材、２８…バー、２９…バー、３０…緩衝材、３１…半円部材、３２…穴、３３…スプリングピン、３４…ボルト、３５…ナット
【図１】
0003119148.tif 000003
【図２】
0003119148.tif 000004
【図３】
0003119148.tif 000005
【図４】
0003119148.tif 000006
【図５】
0003119148.tif 000007
【図６】
0003119148.tif 000008
【図７】
0003119148.tif 000009
【図８】
0003119148.tif 000010